(57)【要約】      （修正有）【課題】プラグをソケットから抜く必要がない様に、スイッチ機能を備えたソケットを提供する。【解決手段】スイッチ機能を備えたソケットは、ハウジング、複数のソケットユニット、ハウジング内に係合して設置し、ソケットユニット下方に位置する２個の導電フレーム５０、複数のスイッチユニット４０を備え、ハウジング上には挿入固定孔を設置し、各ソケットユニットはソケット本体３１、１組の導電端子３４を備え、ソケット本体３１内には端子槽を開設し、ソケットユニットは上下スライド式に、各ハウジング内に収容設置する。また、導電端子３４は端子槽内に挿入して設置し、選択的に導電フレーム５０と接触、或いは離れ、ソケット本体３１上には係合孔３１５を設置する。さらに、スイッチユニット４０は挿入固定孔内に挿入して設置し、選択的にソケット本体３１上を押し、或いは係合孔３１５内に係合保持され、これによりソケットユニットは、上下方向の定位置に固定され、電源切断或いは通電を実現するため、プラグを抜く必要はなくなる。【選択図】図４
0003162907.tif 000002
【実用新案登録請求の範囲】
【請求項１】
ハウジング、複数のソケットユニット、２個の導電フレーム、複数のスイッチユニットを備え、
前記ハウジングは、複数の収容室を陥没状に設置し、前記ハウジングの片側上には、前記各収容室内を貫通する複数の挿入固定孔を開設し、前記各収容室の側壁上には、上下に延伸する位置制限槽を設置し、前記各収容室の底壁上には、挿入孔を開設し、
前記複数のソケットユニットの各ソケットユニットは、上下スライド式に、前記各収容室内に収容設置され、各ソケットユニットはみな、ソケット本体、及び前記ソケット本体内に挿入して設置する導電端子を備え、前記各ソケット本体上には、係合孔とスライドブロックを設置し、前記スライドブロックは、上下にスライドして、前記位置制限槽内に設置され、
前記２個の導電フレームは共に、前記ハウジング内に係合して設置され、前記各ソケットユニットの下方に位置し、前記各導電端子は、選択的に上下にスライドし、前記各導電フレームと接触、或いは離れ、
前記複数のスイッチユニットの各スイッチユニットは、前記各ソケットユニットに対応して設置し、前記各スイッチユニットは、挿入固定ハンドル、挿入固定棒、挿入固定復位バネ、ソケット復位バネを備え、前記挿入固定棒は、前記挿入固定孔内に、前後にスライドし、挿入して設置し、前記ソケット本体の係合孔に対応し、前記挿入固定棒は、係合保持端と組み立て端を備え、前記挿入固定復位バネは、前記挿入固定棒上に被せて設置し、しかも前記ハウジングと前記ソケット本体との間に位置し、前記組み立て端は、前記挿入固定孔を通過後、前記挿入固定ハンドル内に組み立てられ、前記係合保持端は、選択的に前記ソケット本体上を押し、或いは前記係合孔内に係合保持され、前記ソケット復位バネは、前記ソケット本体下部に設置し、前記収容室と前記ハウジングとの間に位置することを特徴とするスイッチ機能を備えたソケット。
【請求項２】
前記係合保持端は、球面状を呈し、
前記各スイッチユニットはさらに、ワッシャを備え、前記ワッシャは、前記挿入固定棒の挿入固定復位バネと前記ハウジングとの間に被せて設置し、
前記挿入固定ハンドルはさらに、前記係合保持端位置に近く、しかも外へと延伸する係合片を備え、前記挿入固定復位バネは、前記係合片の前方を押し、しかも前記ハウジングと前記ソケット本体との間に位置することを特徴とする請求項１に記載のスイッチ機能を備えたソケット。
【請求項３】
前記各ソケット本体の頂点部には、収容設置槽を設置し、前記収容設置槽の両側壁には、それぞれ係合槽を設置し、前記ソケット本体底部の前、後両側にもまた、それぞれ係合槽を設置し、
前記各ソケットユニットはさらに、前記ソケット本体頂点部に固定するソケット上蓋、及び前記ソケット本体底部に固定するソケット下蓋を備え、
前記ソケット上蓋は、前記各端子槽に対応して穿槽を開設し、しかも前記ソケット上蓋の左、右両側には共に、係合ブロックを突出状に形成し、前記ソケット上蓋は、前記収容設置槽内に係合して設置され、前記各係合ブロックと前記各係合槽とは、相互に係合し、
前記ソケット下蓋は、前記各端子槽位置に対応して、孔槽を開設し、前記ソケット下蓋の左、右両側には共に、係合保持部品を突出状に形成し、前記各係合保持部品と前記各係合槽とは、相互に係合することを特徴とする請求項１に記載のスイッチ機能を備えたソケット。
【請求項４】
前記ハウジングはさらに、上ハウジングと下ハウジングを備え、
前記収容室、前記挿入固定孔、前記位置制限槽、前記挿入孔はすべて、前記上ハウジング上に設置し、
前記下ハウジングは、底板を備え、前記底板の周縁には、周囲壁を上方へと延伸し、前記底板は、垂直に上方へと複数組の隔絶板を延伸し、前記各隔絶板は、複数の収容部を取り囲んで形成し、前記底板上にはさらに、複数のサポート板と複数の定位柱を垂直に上方へと延伸し、
前記各導電フレームは、細長い形状を呈する導電部をそれぞれ備え、前記導電部の相対する片側縁はみな垂直で、しかも複数の係合保持部を屈折して延伸し、前記各係合保持部は、接触部を水平に延伸し、前記接触部の上表面には、接触ブロックを設置し、前記導電部は、前記隔絶板の間に係合して設置し、前記係合保持部は、前記収容部内に係合され、前記接触部は、前記サポート板上に設置されることを特徴とする請求項１に記載のスイッチ機能を備えたソケット。
【請求項５】
前記スイッチ機能を備えたソケットはさらに、間隔板を備え、
前記間隔板上には、前記ソケットユニットに対応する複数の開口、及び複数の定位孔を開設し、
前記間隔板は、前記各導電フレーム上方に設置し、前記各定位孔は、前記各定位柱に対応して定位し、前記各導電フレームの接触部と前記接触ブロックとは対応し、前記各開口に延伸することを特徴とする請求項４に記載のスイッチ機能を備えたソケット。
【考案の詳細な説明】
【技術分野】
【０００１】
本考案はソケットに関し、特に使用後に、プラグをソケットから抜く必要がないスイッチ機能を備えたソケットに関する。
【背景技術】
【０００２】
ソケットは日常生活、仕事において広く応用されており、プラグを挿入して接続することで、電気エネルギーの伝送を実現することができる。一般の電気製品はプラグを備えており、ソケットに挿入して電気的に連接するが、最近では省エネのため、電気製品の使用後にはプラグをソケットから抜くことも多くなっている。しかし、プラグをソケットから抜く動作は、多くの使用者にとっては非常に面倒な行為であるため、なかなか確実には実行されていない。また、プラグをソケットに連接、及び抜くという動作を長期間繰り返していると、プラグとソケットとの摩損を引き起こし易く、プラグ或いはソケットの使用寿命に悪影響を及ぼす。しかも、電気製品がオンの状態にある時、プラグをソケットに挿入すると、両者が接触した瞬間に大電流が流れ火花が散る。これにより、接触部分の金属が熱溶解し変形し、さらには、電気製品内部の電子部品の寿命を減損してしまう。よって、従来のプラグは、やはり経常的にソケットから抜かざるを得ず、面倒なだけでなく、電気製品の使用寿命を縮めてしまっている。
本考案は、従来のソケットの上記した欠点に鑑みてなされたものである。
【考案の概要】
【考案が解決しようとする課題】
【０００３】
本考案が解決しようとする課題は、使用後に、プラグをソケットから抜く必要がないスイッチ機能を備えたソケットを提供することである。
【課題を解決するための手段】
【０００４】
上記課題を解決するため、本考案は下記のスイッチ機能を備えたソケットを提供する。
スイッチ機能を備えたソケットは、ハウジング、複数のソケットユニット、２個の導電フレーム、複数のスイッチユニットを備え、
該ハウジング上には、複数の収容室を陥没状に設置し、該ハウジングの片側上には、該各収容室内を貫通する複数の挿入固定孔を開設し、該各収容室の側壁上には、上下に延伸する位置制限槽を設置し、該各収容室の底壁上には、挿入孔を開設し、
該各ソケットユニットは、上下スライド式に、該各収容室内に収容設置され、各ソケットユニットはみな、ソケット本体、及び該ソケット本体内に挿入して設置する導電端子を備え、該各ソケット本体上には、係合孔とスライドブロックを設置し、該スライドブロックは、上下にスライドして、該位置制限槽内に設置され、
該２個の導電フレームは共に、該ハウジング内に係合して設置され、該各ソケットユニットの下方に位置し、該各導電端子は、選択的に上下にスライドし、該各導電フレームと接触、或いは離れ、
該各スイッチユニットは、該各ソケットユニットに対応して設置し、該各スイッチユニットは、挿入固定ハンドル、挿入固定棒、挿入固定復位バネ、ソケット復位バネを備え、該挿入固定棒は、該挿入固定孔内に、前後にスライドし、挿入して設置し、該ソケット本体の係合孔に対応し、該挿入固定棒は、係合保持端と組み立て端を備え、該挿入固定復位バネは、該挿入固定棒上に被せて設置し、しかも該ハウジングと該ソケット本体との間に位置し、該組み立て端は、該挿入固定孔を通過後、該挿入固定ハンドル内に組み立てられ、該係合保持端は、選択的に該ソケット本体上を押し、或いは該係合孔内に係合保持され、該ソケット復位バネは、該ソケット本体下部に設置し、該収容室と該ハウジングとの間に位置する。
【考案の効果】
【０００５】
本考案のスイッチ機能を備えたソケットは、各ソケットユニット下方に設置するソケット復位バネにより、ソケットユニットは、選択的に上下に移動し、各導電フレームとの間で、電源の切断或いは通電を行うことができる。また、ソケットユニット前側には、選択的に前後に移動して、弾性により展開し、或いは圧縮して、ソケットユニットを押すスイッチユニットを設置し、これによりソケットユニットは、上下の一定の位置をキープし、こうしてプラグを抜かなくても、プラグの電源切断或いは通電を実現することができ、操作が簡単で、電気製品の使用寿命を延長することができる。
【図面の簡単な説明】
【０００６】
【図１】本考案スイッチ機能を備えたソケットの立体図である。
【図２】図１に示すスイッチ機能を備えたソケットの立体分解図である。
【図３】図１に示すスイッチ機能を備えたソケットの上ハウジングの立体図である。
【図４】図１に示すスイッチ機能を備えたソケットの後ろ部分に、プラグを挿入し通電した導電部分が切断される様子を示す正面断面図である。
【考案を実施するための形態】
【０００７】
以下に図面を参照しながら本考案を実施するための最良の形態について詳細に説明する。
【実施例】
【０００８】
図１、２に示すように、本考案スイッチ機能を備えたソケット１は、３個のソケットユニット３０を備える２穴孔ソケットで、ハウジング、複数のソケットユニット３０、複数のスイッチユニット４０、２個の導電フレーム５０、間隔板６０を備える。ハウジングは、相互に合さり、一体を形成する上ハウジング２０、下ハウジング１０を備える。
【０００９】
図１に示すように、下ハウジング１０は、底板１１を備える。底板１１の周縁には、周囲壁１２を上方へと延伸する。底板１１上には、垂直に上方へと複数組の隔絶板１３を延伸する。各隔絶板１３は、複数の収容部１４を取り囲んで形成する。底板１１上にはさらに、複数のサポート板１５と複数の定位柱１６を垂直に延伸する。
【００１０】
図２、図４に示すように、上ハウジング２０は、下ハウジング１０上に合わさり蓋をすることができる。上ハウジング２０の頂点板は、下方へと陥没して、複数の方形の収容室２１を設置する。上ハウジング２０の周囲壁(下ハウジング１０の周囲壁１２に相同)上の片側には、複数の挿入固定孔２２を開設する。複数の挿入固定孔２２は、各収容室２１内を貫通する。各収容室２１の左右両側壁上には共に、上下に延伸する位置制限槽２３を貫通状に開設する。各収容室２１の底壁上は、貫通し、しかも挿入孔２４を開設する。
【００１１】
再び図２に示すように、各ソケットユニット３０は、上下スライド式に、各収容室２１内に収容設置される。ソケットユニット３０は、ソケット本体３１、ソケット上蓋３２、ソケット下蓋３３、及びソケット本体３１内に挿入して設置する導電端子３４を備える。ソケット本体３１の下半部は、円柱状を呈し、ソケット本体３１の上半部は、外へと延伸して、方形のガイドスライド部３１１を形成する。ソケット本体３１の頂点部は、内側に向かい収容設置槽３１２を開設する。ソケット本体３１上半部は、収容設置槽３１２の両側壁において、それぞれ係合槽３１３を設置する。ソケット本体３１底部の前、後両側にもまた、それぞれ係合槽３１３を設置する。ソケット本体３１底部から内部へと貫通し、２個の端子槽３１４を開設する。ソケット本体３１のガイドスライド部３１１の片側(前側など)には、ソケット本体３１内へと突出する球面状の係合孔３１５を設置する。ガイドスライド部３１１の左、右両側には共に、スライドブロック３１６を突出状に設置する。各スライドブロック３１６は、上下スライド式に、各位置制限槽２３内に設置される。
【００１２】
ソケット上蓋３２は、各端子槽３１４位置に対応して、２個の穿槽３２１を開設する。ソケット上蓋３２の左、右両側には共に、係合ブロック３２２を突出状に形成する。ソケット上蓋３２は、収容設置槽３１２内に設置する。各係合ブロック３２２と各係合槽３１３とは、相互に係合し、こうしてソケット上蓋３２は、ソケット本体３１頂点部の収容設置槽３１２内に対応して固定される。
【００１３】
各導電端子３４は、ソケット本体３１の端子槽３１４内に挿入して設置し、各導電フレーム５０と選択的に接触し、或いは離れる。
【００１４】
ソケット下蓋３３は、各端子槽３１４位置に対応して、２個の孔槽３３１を開設する。ソケット下蓋３３の左、右両側には共に、係合保持部品３３２を突出状に形成する。係合保持部品３３２と係合槽とは、相互に係合し、こうしてソケット下蓋３３は、ソケット本体３１底部に設置される。
【００１５】
２個の導電フレーム５０は共に、下ハウジング１０内に設置し、ソケットユニット３０の下方に位置する。２個の導電フレーム５０は、細長い形状を呈する導電部５１をそれぞれ備え、導電部５１の相対する片側縁はみな垂直で、しかも複数の係合保持部５２を屈折して延伸する。各係合保持部５２の末端は、接触部５３を水平に延伸する(図２参照)。接触部５３上表面には、接触ブロック５４を設置する。導電部５１は、隔絶板１３の間に係合して設置することができる。係合保持部５２は、収容部１４内に係合され、接触部５３は、サポート板１５上に設置される。
【００１６】
ソケットユニット３０に対応して、間隔板６０上には、複数の開口６１と複数の定位孔を開設する。間隔板６０は、各導電フレーム５０上方に設置し、各定位孔６２は、各定位柱１６に定位することができる。しかも、各接触部５３と接触ブロック５４とは対応し、各開口６１に延伸し、これにより各導電端子３４と対応して接触する。
【００１７】
各スイッチユニット４０は、各ソケットユニット３０に対応して設置し、各スイッチユニット４０は、挿入固定ハンドル４１、挿入固定棒４２、挿入固定復位バネ４３、ソケット復位バネ４４を備える。挿入固定ハンドル４１は、容易に押入れ、また引き出せる形状に設計し、挿入固定ハンドル４１には、ネジ孔(図示なし)を開設する。挿入固定棒４２は、挿入固定孔２２内に、前後にスライドし、挿入して設置し、ソケット本体３１の係合孔３１５に対応する。挿入固定棒４２は、係合保持端４２１、組み立て端４２２、及び係合保持端４２１位置に近く、しかも外へと延伸する係合片４２３を備える。係合保持端４２１は、球面状を呈し、組み立て端４２２には、ネジヤマを設置する。挿入固定復位バネ４３は、挿入固定棒４２上に被せて設置し、しかも係合片４２３の前方を押し上げ(図２正面から観察)、並びに上ハウジング２０の収容室２１側壁とソケット本体３１との間に位置する。挿入固定棒４２の組み立て端４２２のネジヤマは、挿入固定孔２２を通過後、挿入固定ハンドル４１のネジ孔内に挿入され、螺合される。ソケット復位バネ４４は、ソケット本体３１下部に被せて設置し、収容室２１の底壁と下ハウジング１０上に固定する間隔板６０との間に位置する。スイッチユニット４０はさらに、ワッシャ４５を備える。ワッシャ４５は、挿入固定棒４２の挿入固定復位バネ４３と上ハウジング２０との間に被せて設置する。
【００１８】
図２に示すように、組み立て時には、先ず各導電フレーム５０と間隔板６０とを、下ハウジング１０内に組み立てる。続いて、挿入固定復位バネ４３を、挿入固定棒４２の係合片４２３前方に被せて設置する。挿入固定棒４２の組み立て端４２２は、上ハウジング２０の挿入固定孔２２を通過後、挿入固定ハンドル４１のネジ孔内に螺合され、しかもこれにより挿入固定棒４２の係合保持端４２１は、挿入固定孔２２に対応する。ワッシャ４５は、挿入固定棒４２上に被せて設置し、挿入固定復位バネ４３と上ハウジング２０との間に位置する。次に、組み立てが完了した各ソケットユニット３０を、上ハウジング２０上方の各収容室２１から挿入する。ソケット本体３１のガイドスライド部３１１は、上下にスライドし収容室２１内に収容設置される。各スライドブロック３１６は、各位置制限槽２３内に係合して設置され、各位置制限槽２３内において上下スライドを制限される。こうして、ソケットユニット３０の上ハウジング２０からの離脱を回避し、各ソケット本体３１底部は、挿入孔２４を貫通し、上ハウジング２０内部に入り、設置される。しかも、ソケット復位バネ４４は、ソケット本体３１底部に被せて設置する。最後に、上ハウジング２０を、下ハウジング１０上に被せて蓋をする。組み立て完了後、ソケットユニット３０を、上ハウジング２０の上端へとスライドさせると、係合保持端４２１は、ソケット本体３１のガイドスライド部３１１上を、選択的に押す。ソケットユニット３０を上ハウジング２０の下端へとスライドさせると、係合保持端４２１は、係合孔３１５内に、選択的に係合保持される。
【００１９】
図２、図４を用いて、以下に、プラグと本考案スイッチ機能を備えたソケット１の使用時の状況について説明する。プラグ２を、本考案のスイッチ機能を備えたソケット１に挿入すると、スイッチユニット４０の係合保持端４２１は、ソケットユニット３０のガイドスライド部３１１上を押し、これにより挿入固定復位バネ４３は圧縮される。プラグ２が、ソケットユニット３０を下向きに押すと、ソケットユニット３０は、ガイドスライド部３１１上の係合孔３１５を下方へと移動させ、スイッチユニット４０の係合保持端４２１と相互に対応して係合し、ソケットユニット３０を定位するまで、位置制限槽２３に沿って下方へとスライドする。この時、挿入固定復位バネ４３は、緩み、復位し、ソケット復位バネ４４は、ソケット本体３１の圧縮を受け、しかもソケット本体３１内の導電端子３４下部と、各導電フレーム５０の接触ブロック５４とは接触して、通電する。
【００２０】
プラグ２の電源を切断する必要がある場合にも、プラグ２を抜く必要はなく、挿入固定ハンドル４１を外へと引くと、それを外向きにスライドさせ、挿入固定棒４２を外へと移動させることができる。しかも、挿入固定復位バネ４３は圧縮され、これにより係合保持端４２１は係合孔３１５を離脱でき、ソケットユニット３０は、位置制限を解除される。ソケット復位バネ４４は、弾力を回復し、上方へとソケットユニット３０を押し上げる。こうして、各導電端子３４と各導電フレーム５０の接触ブロック５４とは、分離され、電源が切断される。すなわち上記の通り、プラグ２を抜かなくても、プラグ２の電源切断を実現することができる。
【００２１】
上記したように、本考案スイッチ機能を備えたソケット１は、各ソケットユニット３０下方に設置するソケット復位バネ４４により、ソケットユニット３０は、選択的に上下に移動し、各導電フレーム５０との間で、電源の切断或いは通電を行うことができる。ソケットユニット３０前側には、選択的に前後に移動して、弾性により展開し、或いは圧縮して、ソケットユニット３０を押すスイッチユニット４０を設置し、これによりソケットユニット３０は、上下の一定の位置をキープし、こうしてプラグ２を抜かなくても、プラグ２の電源切断或いは通電を実現することができ、操作が簡単で、電気製品の使用寿命を延長することができる。
【００２２】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２３】
本考案は実用新案の要件である新規性を備え、従来の同類製品に比べ十分な進歩を有し、実用性が高く、社会のニーズに合致しており、産業上の利用価値は非常に大きい。
【符号の説明】
【００２４】
１  スイッチ機能を備えたソケット
１０  下ハウジング
１１  底板
１２  周囲壁
１３  隔絶板
１４  収容部
１５  サポート板
１６  定位柱
２    プラグ
２０  上ハウジング
２１  収容室
２２  挿入固定孔
２３  位置制限槽
２４  挿入孔
３０  ソケットユニット
３１  ソケット本体
３１１  ガイドスライド部
３１２  収容設置槽
３１３  係合槽
３１４  端子槽
３１５  係合孔
３１６  スライドブロック
３２  ソケット上蓋
３２１  穿槽
３２２  係合ブロック
３３  ソケット下蓋
３３１  孔槽
３３２  係合保持部品
３４  導電端子
４０  スイッチユニット
４１  挿入固定ハンドル
４２  挿入固定棒
４２１  係合保持端
４２２  組み立て端
４２３  係合片
４３  挿入固定復位バネ
４４  ソケット復位バネ
４５  ワッシャ
５０  導電フレーム
５１  導電部
５２  係合保持部
５３  接触部
５４  接触ブロック
６０  間隔板
６１  開口
６２  定位孔
【図１】
0003162907.tif 000003
【図２】
0003162907.tif 000004
【図３】
0003162907.tif 000005
【図４】
0003162907.tif 000006